(57)【要約】      （修正有）【課題】強度の最適さを簡単に把握することができるようにする。【解決手段】布製ツールホルダ１に取り付ける品質検査証表示部７Ｃに、印刷によるインキ層或いはコピーによるトナー層によって引裂き強さ数値の適正レベル記号表示部９と、摩擦強さ数値の適正レベル記号表示部１０、摩擦堅牢度数値の適正レベル表示部１１、撥水度数値の適正レベル表示部のいずれかを第一のインキ層９Ａ，１０Ａ，１１Ａにより設けると共に総合適正レベル表示部１２を第二のインキ層１２Ａにより設ける。総合適正レベル表示部１２によって一見しただけで品質保証を確認でき、しかもその詳細を適正レベル表示部９，１０，１１によって確認することができる。【選択図】図３
0003150888.tif 000002
【実用新案登録請求の範囲】
【請求項１】
布製、革製或いはプラスチックシート製の製品本体に紙又はプラスチックシートからなる品質検査証表示部を一体又は別体に設けた布製、革製或いはプラスチックシート製の製品において、前記品質検査証表示部に適正レベル表示部を印刷インキ層又はコピー用トナー層によって設けたことを特徴とする布製、革製或いはプラスチックシート製の製品。
【請求項２】
布製、革製或いはプラスチックシート製の製品本体に紙又はプラスチックシートからなる品質検査証表示部を一体又は別体に設けた布製、革製或いはプラスチックシート製の製品において、前記品質検査証表示部に、引裂き強さ数値の適正レベル記号表示部と、摩擦強さ数値の適正レベル記号表示部、摩擦堅牢度数値の適正レベル表示部、撥水度数値の適正レベル表示部のいずれかを第一の印刷インキ層又はコピー用トナー層によって設けると共に、総合適正レベル表示部を第二の印刷インキ層又はコピー用トナー層によって設けたことを特徴とする布製、革製或いはプラスチックシート製の製品。
【考案の詳細な説明】
【技術分野】
【０００１】
本考案は、身に付ける工具収納用腰袋や工具収納用ケース、身には付けない工具バッグやバケット、携帯電話など小物入れケース、身に付けるエプロンや自動車などのシート或いはシートカバーのような布製、革製或いはプラスチックシート製の製品に関するものである。
【背景技術】
【０００２】
従来、この種のものとして化学繊維製の布材からなるホルダ本体に収納部材を設けたツールホルダ（例えば、特許文献１）や、シートカバー本体を、抗菌性又は及び防臭・消臭性の防水生地により形成したシートカバー（例えば、特許文献２）などが知られている。
【特許文献１】実用新案登録第３０７７０５６号公報
【特許文献２】実用新案登録第３１３８７２７号公報
【考案の開示】
【考案が解決しようとする課題】
【０００３】
従来、このような布製、革製或いはプラスチックシート製の製品にあっては、使用に耐えうる所定の強度が必要である。そのために、所定の強度を有する製品には品質検査証が取りつけられており、例えば品質検査証には製品の材質の引裂き強度をあらわす数値を表示することが考えられる。
【０００４】
しかしながら、引裂き強度を直接数値で表しても、その数値自体で取引業者や購入者にとって強度が最適なものか否かを判断することは難しい。
【０００５】
解決しようとする問題点は、購入等の取引にあたって強度の最適さを簡単に把握することができると共に、その最適さの根拠も簡単に知ることができるようにする点である。
【課題を解決するための手段】
【０００６】
請求項１の考案は、布製、革製或いはプラスチックシート製の製品本体に紙又はプラスチックシートからなる品質検査証表示部を一体又は別体に設けた布製、革製或いはプラスチックシート製の製品において、前記品質検査証表示部に適正レベル表示部を印刷インキ層又はコピー用トナー層によって設けたことを特徴とする布製、革製或いはプラスチックシート製の製品である。
【０００７】
請求項２の考案は、布製、革製或いはプラスチックシート製の製品本体に紙又はプラスチックシートからなる品質検査証表示部を一体又は別体に設けた布製、革製或いはプラスチックシート製の製品において、前記品質検査証表示部に、引裂き強さ数値の適正レベル記号表示部と、摩擦強さ数値の適正レベル記号表示部、摩擦堅牢度数値の適正レベル表示部、撥水度数値の適正レベル表示部のいずれかを第一の印刷インキ層又はコピー用トナー層によって設けると共に、総合適正レベル表示部を第二の印刷インキ層又はコピー用トナー層によって設けたことを特徴とする布製、革製或いはプラスチックシート製の製品である。
【考案の効果】
【０００８】
請求項１の考案によれば、適正レベル表示部を見るだけで品質を確認することができる。
【０００９】
請求項２の考案によれば、適正レベル表示部によって品質保証を確認でき、しかも総合適正レベル表示部によって総合的に確認することができる。
【考案を実施するための最良の形態】
【００１０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１１】
図１〜図２は実施例１を示しており、布製の製品たるツールホルダ１は、化学繊維製の布材からなるホルダ本体２からなり、このホルダ本体２には、装着部３とホルダ部４とが形成されている。ホルダ部４は、ホルダ本体２の外面側にホルダ本体２と同じ化学繊維製の布材からなる収納部材４Ａを装着してなり、この収納部材４Ａには繊維製のメッシュ材からなる収納ポケット５が設けられている。この収納部材４Ａおよび収納ポケット５は二つの区画に分割されている。また、装着部３はホルダ本体２の長手方向における上端側を折り曲げて、該ホルダ本体２の反対面側にリベット等の固定手段６により固定することにより扁平なリング状となっている。この固定手段６は、収納部材４Ａの上方において、ホルダ本体２の外面から外側に突出して設けられている。このようなツールホルダ１においてホルダ本体２は、化学繊維製の非吸水性で高強度の織布、不織布又は編布からなるのが好ましく、具体的には、高硬度ナイロン織布や、ポリエステル織布、ポリ塩化ビニル織布などからなるのが好ましい。
【００１２】
そして、このツールホルダ１に、商品陳列用吊り下げ片７を一体的に装着する。この商品陳列用吊り下げ片７は紙又はプラスチックシートからなり、その表面の上角に品質検査証表示部が設けられており、その装着は、吊り下げ片７の切り込み箇所７Ａを装着部３に左右より挿入してなる。そして、吊り下げ片７の表面または裏面、或いはツールホルダ１自体に適性レベル表示部８からなる品質検査証表示部を印刷によるインキ層８Ａにより設ける。尚、印刷によるインキ層８ＡにかえてＰＰＣ（普通紙複写機）によるコピーをすることで商品陳列用吊り下げ片７の表面に設けられるコピー用のトナー層によって形成してもよい。このトナー層は帯電性を持ったプラスチック粒子に炭素などの色粒子を付着させた微粒子により形成され、ＰＰＣによって複写されるものである。実施例では品質検査証表示部は吊り下げ片７の表面上隅部に正面より見えるように設けられており、この適性レベル表示部８は、引裂き強度の数値や、摩擦強さの数値や、摩擦堅牢度の数値、或いは撥水度の数値のような工業的数値ではなく、最適か適か不適のような相対的表記の一つである「最適」という文字表示によって形成されている。この「最適」という文字表示からなる品質検査証表示は、ホルダ本体２の各種材質がＪＩＳ規定の性能試験を行って通った材質が用いられる。
【００１３】
以上のように、前記実施例１では、適正レベル表示部８を見るだけで品質を確認することができる。さらに、適性レベル表示部８が、印刷によってインキ層や、コピーによってトナー層によって形成されているので、長期間消えるようなことはない。
【実施例２】
【００１４】
図３〜図４は実施例２を示しており、前記実施例１と同一部分には同一符号を付し、その詳細な説明を省略する。
【００１５】
布製の製品たるツールホルダ１に一体的に設けられる紙又はプラスチックシートからなる品質検査証表示部７Ｃの上部側に横一列に、引裂き強さ数値の適正レベル記号表示印刷部である適正レベル記号表示部９、摩擦強さ数値の適正レベル記号表示印刷部である適正レベル記号表示部10、摩擦堅牢度数値の適正レベル表示印刷部である適正レベル表示部11が設けられている。尚、摩擦堅牢度数値の適正レベル表示印刷部11に代えて撥水度数値の適正レベル表示印刷部（図示せず）を設けてもよい。そして、これら表示部９，10，11などは、それぞれ印刷による第一のインキ層９Ａ，10Ａ，11Ａによって形成されている。さらに、品質検査証表示部７の下部一側に総合適性レベル表示印刷部である総合適性レベル表示部12が印刷による第二のインキ層12Ａによって設けられると共に、下部他側に検印印刷部13が同様に設けられている。尚、第一のインキ層９Ａ、第二のインキ層12Ａに代えてコピー用のトナー層でもよい。
【００１６】
前記引裂き強さ数値の適正レベル記号表示印刷部９は、ツールホルダ１の材質の引裂き強さ数値（ＪＩＳ  Ｌ  1096Ａ―1法）の縦、横平均値の数値をそのまま直接的に表示印刷したものではなく、数値の複数の適正レベル（段階）を示したものである。実施例ではポイント「１，２，３」のうちの「１」のように表示して数値を適正レベル記号によってあらわしたものである。
【００１７】
同様に、摩擦強さ数値の適正レベル記号表示部10は、ツールホルダ１の材質の摩擦強さ数値（ＪＩＳ  Ｌ  101Ａ法）の数値をそのまま直接的に表示印刷したものではなく、実施例ではポイント「１」のように表示して数値を適正レベル記号によってあらわしたものである。また、摩擦堅牢度数値の適正レベル記号表示印刷部11は、ツールホルダ１の材質の摩擦堅牢度数値（ＪＩＳ  Ｌ  1099  スプレー法）の数値をそのまま直接的に表示印刷したものではなく、実施例ではポイント「１」のように表示して数値を適正レベル記号によってあらわしたものである。さらに、撥水度数値の適正レベル記号表示印刷部は、表示していないが、ツールホルダ１の材質の撥水度数値（ＪＩＳ  Ｌ  0489  II法）の数値をそのまま直接的に表示印刷せずポイント「１」のように表示して数値を適正レベル記号によってあらわせばよい。
【００１８】
総合適性レベル表示部12は、品質の総合判定をあらわす箇所であり、実施例では「最適」の表示がなされている。
【００１９】
前記ツールホルダ１と別体に設けられる品質検査証用説明紙片14は、紙或いはプラステックシートにより形成され、縦欄の一側に、試験名を４段記載している。すなわち、上から下にかけて試験名印刷部15が設けられている。実施例では「引裂き強さ（タテ・ヨコ平均値）  ＪＩＳ  Ｌ  1096Ａ―1法」、「摩擦強さ  ＪＩＳ  Ｌ  101Ａ法  」、「摩擦堅牢度  ＪＩＳ  Ｌ  1099  スプレー法」、「撥水度数値  ＪＩＳ  Ｌ  0489  II法」が記載されており、一方横欄上部に一側から他側にかけて製品種別印刷部16が設けられている。実施例では「工具用腰袋・工具ケース」、「工具バッグ・バケット」、「携帯電話等小物入れ」、「エプロン・シート等」のように、製品の区分があわらされている。
【００２０】
そして、製品種別印刷部16の「工具用腰袋・工具ケース」においては、試験名印刷部15においてそれぞれの試験ごとにその強度の引裂き強さ数値印刷部が上下方向に設けられており、この引裂き強さ数値印刷部は実施例では下段が「〜（１）ｋｇ」、すなわち（１）ｋｇ以下、中段が「〜（２）ｋｇ」、すなわち（１）ｋｇ以上（２）ｋｇ以下、上段が「（３）ｋｇ〜」、すなわち（３）ｋｇ以上をあらわしている。そして、引裂き強さ数値印刷部の他側隣に、これら数値印刷部17に対応して適正レベル表示印刷部18が設けられている。この適正レベル表示印刷部18は実施例では、ポイント表示で上から「１」、「２」、「３」とあらわしており、この適正レベル表示印刷部18の他側隣に、これら適正レベル表示印刷部18に対応して推奨値表示印刷部19が設けられる。実施例では、白丸印は必要な強度を充足していることを示し、黒丸は十分な強度を充足していることを示している。したがって、実施例ではポイント１と２が推奨値となっている。
【００２１】
同様に、摩擦強さにおいては、20，21，22が、その数値印刷部、適正レベル表示印刷部、推奨値表示印刷部を示している。摩擦堅牢度においては、23，24，25が、その数値印刷部、適正レベル表示印刷部、推奨値表示印刷部を示している。撥水度においては、26，27，28が、その数値印刷部、適正レベル表示印刷部、推奨値表示印刷部を示している。
【００２２】
さらに、他の製品、例えば工具バッグなどに対応して推奨値表示印刷部29が設けられている。尚、各種の表示部などは印刷によるインキ層やコピー用トナー層によって形成されているので、長期間消えるようなことはない。
【００２３】
次に前記構成についてその作用を説明する。ツールホルダー１を取り扱う際に、品質検査証表示部７を手に取り、見ると総合適性レベル表示部12に「最適」とあるために、強度の保証がなされていることを視認することができる。そして、この「最適」であることを確認するために、品質検査証表示部７と品質検査証用説明紙片14とを見比べ、品質検査証表示部14にある適正レベル記号表示印刷部９，10，11が「１  １  １」であり、そして、推奨値表示印刷部19，22，24を見ることにより、いずれも推奨値に入っており、引裂き強さ、摩擦強さ、摩擦堅牢度は、いずれもポイントが１か２であることを確認することができる。
【００２４】
一方、メーカーにとっても、製造時の材料の選定あって、質検査証用説明紙片14における推奨値表示印刷部19，22，24，28などを参考として最適なものを簡単に選択することができる。
【００２５】
以上のように、前記実施例では、布製ツールホルダ１に取り付ける品質検査証表示部７に引裂き強さ数値の適正レベル記号表示部９と、摩擦強さ数値の適正レベル記号表示部10、摩擦堅牢度数値の適正レベル表示部11、撥水度数値の適正レベル表示部のいずれかを設けると共に総合適正レベル表示部12を設けたことにより、総合適性レベル表示部12によって一見しただけで品質保証を確認でき、しかもその詳細を適正レベル表示部９，10，11によって確認することができる。
【００２６】
前記実施例では、布製ツールホルダ１に取り付ける品質検査証表示部７と、布製ツールホルダ１と別体又は一体に設けられる品質検査証用説明紙片14とを有し、
前記品質検査証表示部７に引裂き強さ数値の適正レベル記号表示部９と、摩擦強さ数値の適正レベル記号表示部10、摩擦堅牢度数値の適正レベル表示部11、撥水度数値の適正レベル表示部のいずれかを設けると共に総合適正レベル表示部12を設け、
前記引裂き強さ数値の適正レベル記号表示部９、前記摩擦強さ数値の適正レベル記号表示部10、前記摩擦堅牢度数値の適正レベル表示部11、前記撥水度数値の適正レベル表示部のいずれかに対応して、前記品質検査証用説明紙片14に、前記引裂き強さ数値の適正レベル記号表示部９に対応する引裂き強さ数値部17及びその推奨値表示部19、摩擦強さ数値の適正レベル記号表示部10に対応する摩擦強さ数値部20及びその推奨値表示部22、摩擦堅牢度数値の適正レベル記号表示部11に対応する摩擦堅牢度数値部23及びその推奨値表示部25、撥水度数値の適正レベル表示部に対応する撥水度数値部26及びその推奨値表示部28のいずれかを設けたことによって、総合適正レベル表示部12によって一見しただけで品質保証を確認でき、しかもその詳細を適正レベル表示印刷部９，10，11と品質検査証用説明紙片14とを見比べることでよって確認することができる。
【００２７】
さらに、表示部９，10，11などは、印刷による第一のインキ層９Ａ，10Ａ，11Ａによって形成され、総合適性レベル表示部12が印刷による第二のインキ層12Ａによって設けられるので、長期間消えるようなことはない。
【産業上の利用可能性】
【００２８】
以上のように本考案にかかる製品は、革製或いはプラスチックシート製でもよいなど各種の用途に適用できる。
【図面の簡単な説明】
【００２９】
【図１】本考案の第１実施例を示す斜視図である。
【図２】同断面図である。
【図３】本考案の第２実施例を示す斜視図である。
【図４】同断面図である。
【図５】同平面図である。
【符号の説明】
【００３０】
１  布製ツールホルダ（製品本体）
８  適性レベル表示部
８Ａ  インキ層
９  引裂き強さ数値の適正レベル記号表示部
10  摩擦強さ数値の適正レベル記号表示部
11  摩擦堅牢度数値の適正レベル表示部
９Ａ，10Ａ，11Ａ  第一のインキ層
12  総合適性レベル表示部
12Ａ  第二のインキ層
【図１】
0003150888.tif 000003
【図２】
0003150888.tif 000004
【図３】
0003150888.tif 000005
【図４】
0003150888.tif 000006
【図５】
0003150888.tif 000007